(57)【要約】      （修正有）【課題】挿入されるカードをアースさせる構成が簡易で、確実にアースでき、しかも組立が容易にできるカード用コネクタを提供する。【解決手段】カードを収容可能な収容部を有するハウジング１と、収容部内に配設されカードの複数の電極と接続可能な複数のコンタクト端子Ｃ３が保持された絶縁基体１３と、相手方コネクタと接続可能で複数のコンタクト端子が接続される基板とを備えたカード用コネクタ１０１において、ハウジングは、カバー１２と、カバーと係合してカバーとの間で収容部を形成するケース１１とを有し、収容部内には、基板１５に設けられたアース用ランドと電気的に接触する接触板１７が２個配設され、２個の接触板は、ケースにカードと接触可能に配置されるとともに、ケースの側方にそれぞれ１個ずつ配置されていることを特徴としている。【選択図】図１
0003167273.tif 000002
【実用新案登録請求の範囲】
【請求項１】
カードを収容可能な収容部を有するハウジングと、
前記収容部内に配設され、前記カードの複数の電極と接続可能な複数のコンタクト端子が保持された絶縁基体と、
相手方コネクタと接続可能で、前記複数のコンタクト端子が接続される基板とを備えたカード用コネクタにおいて、
前記ハウジングは、カバーと、前記カバーと係合して前記カバーとの間で前記収容部を形成するケースとを有し、
前記収容部内には、前記基板に設けられたアース用ランドと電気的に接触する接触板が２個配設され、
前記２個の接触板は、前記ケースに前記カードと接触可能に配置されるとともに、前記ケースの側方にそれぞれ１個ずつ配置されていることを特徴とするカード用コネクタ。
【請求項２】
前記接触板は、前記基板と前記カバーとの間で挟持されて前記基板の前記アース用ランドに圧接されていることを特徴とする請求項１に記載のカード用コネクタ。
【請求項３】
前記カバー及び前記ケースは合成樹脂からなり、
前記基板は、前記ケースの後方側に配置され、
前記接触板は、前記ケースに上方側から取り付けられるとともに、前記接触板の一部が前記ケースの後方側で前記基板よりも後方側に配置されており、
前記カバーは、前記接触板及び前記基板を挟んだ状態で前記ケースと係合されていることを特徴とする請求項１または請求項２に記載のカード用コネクタ。
【請求項４】
前記接触板は、前記基板の前記アース用ランドと接触する側に突出する突出部を有することを特徴とする請求項１ないし請求項３のいずれかに記載のカード用コネクタ。
【請求項５】
前記ハウジングには、前記相手方コネクタと嵌合するロック片が設けられており、
前記ロック片は、前記基板の後方側に配置されていることを特徴とする請求項１ないし請求項４のいずれかに記載のカード用コネクタ。
【考案の詳細な説明】
【技術分野】
【０００１】
本考案は、カードが挿入されて使用される機器に装備され、相手方コネクタと接続可能で、カードと接続可能な複数のコンタクト端子を備えたカード用コネクタに関するものである。
【背景技術】
【０００２】
この種のカード用コネクタは、電磁誘導などによるノイズ対策やカードが保持している静電荷に対する静電気対策等のため、カードの信号接触子がカード用コネクタの端子と接続する前に、放電させるため等のアース機構を有しているのが一般的である。特に、ＰＣ（Personal Computer、パーソナルコンピューター）やＰＤＡ（Personal Digital Assistants、個人用携帯端末）などに多用されているＰＣカード用のカード用コネクタは、静電気対策のため、アースさせる機構が重要であるとされている。
【０００３】
このようなカード用コネクタとして、特許文献１では、図１１に示すように、フレーム９０２に、複数の信号回路導体９４１及び接地導体９４３を含む回路基板９０４を組み込み、上下一対の導電性カバー９０７で覆って構成したメモリカード用アダプタカード９００が提案されている。図１１（ａ）に示すメモリカード用アダプタカード９００が組立てられると、先ず、上側の導電性カバー９０７と回路基板９０４の接地導体９４３の間に配置された短絡金具９４４が狭持され、短絡接触し、上側の導電性カバー９０７と接地導体９４３が短絡するようになる。図示していないが、回路基板９０４の裏面側も同様にして、もう一つの短絡金具９４４により、裏側の接地導体９４３が下側の導電性カバー９０７と短絡するようになる。また、図１１（ｂ）に示す接触バネ片９０３は、フレーム９０２の左右の側杆９２１及び側杆９２２にそれぞれ配置され、上方へと折り曲げられ延設された折曲片９３２が上側の導電性カバー９０７と短絡接触している。
【０００４】
そして、メモリカード（図示していない）が挿入されると、接触バネ片９０３の「く」字状の折曲片９３１と、メモリカードの接地用接触部（図示していない）が摺接し、接触バネ片９０３と短絡金具９４４とを介して、メモリカードの接地用接触部と接地導体９４３と短絡して接地回路を構成するようになる。これにより、簡単な構成でメモリカードおよびメモリカード用アダプタカードに帯電する静電荷を放電することができるとしている。
【０００５】
他の従来例として、特許文献２では、プリント基板にはんだ付けされたアース金具を、メモリカード上面または底面、或いは側面に接触させることにより、アースさせる機構が提案されている。また、特許文献３では、筐体及び回路基板の両方に接触したグランド端子を、ＰＣカードに設けられた接触片に接触させることにより、アースさせる機構が提案されている。そして、筐体及び回路基板の両方に接触させるために、接地部材、ガイド部材及び中間部材を更に用いて、それら全てとグランド端子とを組み込み、ネジとナットによって、基板に固定している。
【先行技術文献】
【特許文献】
【０００６】
【特許文献１】特許第２８４６３０１号
【特許文献２】実開平６−３８１８０号公報
【特許文献３】特許第３０７６４９９号
【考案の開示】
【考案が解決しようとする課題】
【０００７】
しかしながら、従来例１の特許文献１のメモリカード用アダプタカード９００のような構成では、小さい部品の接触バネ片９０３や短絡金具９４４を配置する際に、位置ずれ無く組み立てるための組立工程が難しくなる恐れがあるばかりでなく、短絡金具９４４と上側の導電性カバー９０７との接触も不安定になる恐れがあるという課題があった。
【０００８】
また、従来例２の特許文献２や従来例３の特許文献３では、アースさせるための部品をはんだ付けやネジ止めで固定しているので、従来例１より、接触の不安定性は解消できる。しかしながら、はんだ付けやネジ止めでは、従来例１より、より組立工程が難しくなったり、時間がかかったりしてしまう。また、製品の薄型化等に伴ったアースさせる機構の薄型化に対応できないという問題もあった。
【０００９】
本考案は、上述した課題を解決するもので、挿入されるカードをアースさせる構成が簡易で、確実にアースでき、しかも組立が容易にできるカード用コネクタを提供することを目的とする。
【課題を解決するための手段】
【００１０】
この課題を解決するために、本考案の請求項１によるカード用コネクタは、カードを収容可能な収容部を有するハウジングと、前記収容部内に配設され、前記カードの複数の電極と接続可能な複数のコンタクト端子が保持された絶縁基体と、相手方コネクタと接続可能で、前記複数のコンタクト端子が接続される基板とを備えたカード用コネクタにおいて、前記ハウジングは、カバーと、前記カバーと係合して前記カバーとの間で前記収容部を形成するケースとを有し、前記収容部内には、前記基板に設けられたアース用ランドと電気的に接触する接触板が２個配設され、前記２個の接触板は、前記ケースに前記カードと接触可能に配置されるとともに、前記ケースの側方にそれぞれ１個ずつ配置されていることを特徴としている。
【００１１】
また、本考案の請求項２によるカード用コネクタは、前記接触板は、前記基板と前記カバーとの間で挟持されて前記基板の前記アース用ランドに圧接されていることを特徴としている。
【００１２】
また、本考案の請求項３によるカード用コネクタは、前記カバー及び前記ケースは合成樹脂からなり、前記基板は、前記ケースの後方側に配置され、前記接触板は、前記ケースに上方側から取り付けられるとともに、前記接触板の一部が前記ケースの後方側で前記基板よりも後方側に配置されており、前記カバーは、前記接触板及び前記基板を挟んだ状態で前記ケースと係合されていることを特徴としている。
【００１３】
また、本考案の請求項４によるカード用コネクタは、前記接触板は、前記基板の前記アース用ランドと接触する側に突出する突出部を有することを特徴としている。
【００１４】
また、本考案の請求項５によるカード用コネクタは、前記ハウジングには、前記相手方コネクタと嵌合するロック片が設けられており、前記ロック片は、前記基板の後方側に配置されていることを特徴としている。
【考案の効果】
【００１５】
請求項１の考案によれば、本考案のカード用コネクタは、基板に設けられたアース用ランドと接触する接触板を、挿入されたカードと接触するように、収容部内のケースの側方にそれぞれ１個ずつ配置しているので、カードが挿入された際に、カードと接触板とを接触させ、接触板と基板とを介して、アースさせることができる。このことにより、簡易な構成であり、組立が容易にでき、しかも、確実にアースを取ることができる。
【００１６】
請求項２の考案によれば、本考案のカード用コネクタは、接触板が、基板とカバーとの間で挟持されて、基板のアース用ランドに圧接されているので、簡易な構成で、接触板を基板に確実に接触させることができる。このことにより、簡易な構成であり、組立が容易にでき、しかも、より確実にアースを取ることができる。
【００１７】
請求項３の考案によれば、本考案のカード用コネクタは、接触板がケースに上方側から取り付けられるとともに、接触板の一部が基板よりも後方側に配されており、カバーが接触板及び基板を挟んだ状態で、ケースと係合させるので、より簡易な構成であり、より組立が容易にできる。
【００１８】
請求項４の考案によれば、本考案のカード用コネクタは、接触板が基板のアース用ランドと接触する側に、突出する突出部を有しているので、アース用ランドに接触する接触板の接触圧を強くして、アース用ランドに接触板を接触させることができる。このことにより、確実に接触させることができ、より一層確実にアースを取ることができる。
【００１９】
請求項５の考案によれば、本考案のカード用コネクタは、基板の後方側に配置され、相手方コネクタと嵌合するロック片がカバーに設けられているので、このロック片により、相手方コネクタと確実に接続することができる。このことにより、基板と相手方コネクタとを介して、より一層確実にアースを取ることができる。
【００２０】
したがって、本考案によれば、挿入されるカードをアースさせる構成が簡易で、確実にアースでき、しかも組立が容易にできるカード用コネクタを提供できる。
【図面の簡単な説明】
【００２１】
【図１】本考案の第１実施形態のカード用コネクタを説明する分解斜視図である。
【図２】本考案の第１実施形態のカード用コネクタを説明する図であって、図２（ａ）は、斜視図であり、図２（ｂ）は、カバーを装着していない斜視図である。
【図３】本考案の第１実施形態のカード用コネクタを説明する図であって、図３（ａ）は、図２（ａ）に示すＲＤ側から見た側面図であり、図３（ｂ）は、図２（ａ）に示すＦＤ側から見た正面図であり、図３（ｃ）は、図２（ａ）に示すＢＤ側から見た背面図であり、図３（ｄ）は、図３（ｃ）に示す図のカバーを省略した背面図である。
【図４】本考案の第１実施形態のカード用コネクタを説明する上面図であって、図４（ａ）は、カード用コネクタのカバーを省略した図であり、図４（ｂ）は、ケースに接触板が載置されている図である。
【図５】本考案の第１実施形態のカード用コネクタを説明する図であって、図５（ａ）は、コンタクト端子が保持された絶縁基体の斜視図であり、図５（ｂ）は、基板の正面図であり、図５（ｃ）は、基板の背面図である。
【図６】本考案の第１実施形態のカード用コネクタを説明する図であって、図６（ａ）は、ケースの一方の側方に配置される接触板の斜視図であり、図６（ｂ）は、ケースの他方の側方に配置される接触板の斜視図である。
【図７】本考案の第１実施形態のカード用コネクタの組立方法を説明する図であって、図７（ａ）は、ケースの上面図であり、図７（ｂ）は、ケースに絶縁基体と基板とを載置したときの上面図であり、図７（ｃ）は、図７（ｂ）に接触板を載置したときの上面図であり、図７（ｄ）は、図７（ｃ）にカバーを載置したときの上面図であり、図７（ｅ）は、組立終了時のカード用コネクタの上面図である。
【図８】本考案の第１実施形態のカード用コネクタを説明する図であって、図８（ａ）は、図７（ｃ）に示すＰ部分の拡大上面図であり、図８（ｂ）は、図７（ｅ）に示すＱ部分の図であり、カバーを省略した拡大上面図である。
【図９】本考案の第１実施形態のカード用コネクタを説明する図であって、図７（ｅ）に示すＩＸ−ＩＸ線における断面図である。
【図１０】本考案の第１実施形態のカード用コネクタと相手方コネクタとが勘合した状態を説明する斜視図である。
【図１１】従来例１のメモリカード用アダプタカードを説明した図であって、図１１（ａ）は、メモリカード用アダプタカードの分解斜視図であり、図１１（ｂ）は、接触バネ片の斜視図である。
【考案を実施するための最良の形態】
【００２２】
以下、本考案の実施の形態について添付図面を参照して詳細に説明する。
【００２３】
［第１実施形態］
図１は、本考案の第１実施形態のカード用コネクタ１０１を説明する分解斜視図である。図２は、本考案の第１実施形態のカード用コネクタ１０１を説明する図であって、図２（ａ）は、斜視図であり、図２（ｂ）は、カバー１２を装着していない斜視図である。図３は、本考案の第１実施形態のカード用コネクタ１０１を説明する図であって、図３（ａ）は、図２（ａ）に示すＲＤ側から見た側面図であり、図３（ｂ）は、図２（ａ）に示すＦＤ側から見た正面図であり、図３（ｃ）は、図２（ａ）に示すＢＤ側から見た背面図であり、図３（ｄ）は、説明を容易にするため、図３（ｃ）に示す図のカバー１２を省略した背面図である。図４は、本考案の第１実施形態のカード用コネクタ１０１を説明する上面図であって、図４（ａ）は、カード用コネクタ１０１のカバー１２を省略した図であり、図４（ｂ）は、ケース１１に接触板１７が載置されている図である。
【００２４】
図１及び図２に示すように、本考案の第１実施形態のカード用コネクタ１０１は、カードＫＤを収容可能な収容部１ｓを有するハウジング１と、収容部１ｓ内に配設され、複数のコンタクト端子Ｃ３が保持された絶縁基体１３と、複数のコンタクト端子Ｃ３が接続される基板１５と、収容部１ｓの側方にそれぞれ１個ずつ配置された接触板１７とから構成されている。
【００２５】
ハウジング１は、図１及び図２に示すように、カバー１２と、カバー１２と係合されてカバー１２との間で収容部１ｓを形成するケース１１とから構成され、図２（ａ）に示すＦＤ側（以後、前方ＦＤ側と言う）からカードＫＤが挿入された際に、カードＫＤの一部または全てが収容部１ｓに収納される。ケース１１及びカバー１２は、ＡＢＳ（アクリロニトリルブタジエンスチレン）、ＰＥＴ（ポリエチレンテレフタレート）、ＰＢＴ（ポリブチレンテレフタレート）、ＬＣＰ（液晶ポリマー）等の合成樹脂材料を用いている。合成樹脂素材を用いているので、射出成形等で、容易に作製することができる。
【００２６】
ケース１１は、図４（ａ）に示すように、後述する組立において、接触板１７及び絶縁基体１３を、図２（ａ）に示すＵＰ側（以後、上方ＵＰ側と言う）から、載置することができる。また、ケース１１は、図４（ｂ）に示すように、相手方コネクタ１９（図示していない）と接続可能な基板１５を挿入するための開口部１１ｋを、図２（ａ）に示すＢＤ側（以後、後方ＢＤ側と言う）に備えている。後述する基板１５は、開口部１１ｋに挿入するように組立てられるので、ケース１１の後方ＢＤ側に配置されることになる。また、図３に示すように、相手方コネクタ１９（図示していない）と係止されるコネクタ部１４は、基板１５を収納するための孔を有し、図４（ｂ）に示す開口部１１ｋの部分に形成され、図２（ａ）に示すＤＷ側（以後、下方ＤＷ側と言う）に延出しているとともに、ケース１１の後方ＢＤ側にケース１１と一体となって形成されている。なお、コネクタ部１４は、ケース１１と一体になって形成されるのがより好ましいが、別部材として作製されても良い。
【００２７】
カバー１２には、図３（ａ）、図３（ｃ）及び図４（ｂ）に示すように、相手方コネクタ１９（図示していない）と嵌合するロック片１２ｐが設けられており、ロック片１２ｐは、基板１５が挿入される開口部１１ｋの位置より後方ＢＤ側に配置されている。また、ロック片１２ｐは、図２（ａ）及び図３（ａ）に示すように、弾性変形可能なロークアーム１２ａにより、カバー１２の後方ＢＤ側の縁部とつながっており、ロック片１２ｐの先端部には、相手方コネクタ１９の係止部（図示していない）と係止するための係止爪１２ｒが設けられている。このため、本考案のカード用コネクタ１０１は、ハウジング１のカバー１２に設けられたロック片１２ｐが相手方コネクタ１９と嵌合することにより、相手方コネクタ１９と確実に接続することができる。
【００２８】
また、ロック片１２ｐがハウジング１のカバー１２側に設けられているので、カバー１２と相手方コネクタ１９とでケース１１を狭持するようになり、カバー１２とケース１１の係合を確実にすることができる。このことにより、後述する接触板１７及び基板１５を、カバー１２と絶縁基体１３とで狭持した状態を維持できる。また、ケース１１の後方ＢＤ側に配置された接触板１７及び基板１５の近傍であるハウジング１の後方ＢＤ側にロック片１２ｐを設けているので、狭持した状態を確実に維持できる。なお、ロック片１２ｐは、カバー１２の一部として一体に成形されるのがより好ましいが、別体で作製されて用いられていても良い。
【００２９】
図５は、本考案の第１実施形態のカード用コネクタ１０１を説明する図であって、図５（ａ）は、コンタクト端子Ｃ３が保持された絶縁基体１３の斜視図であり、図５（ｂ）は、前方ＦＤ側から見た基板１５の正面図であり、図５（ｃ）は、後方ＢＤ側から見た基板１５の背面図である。
【００３０】
絶縁基体１３は、図５（ａ）に示すように、導電性金属板を母材として作製された複数のコンタクト端子Ｃ３を、カードＫＤの複数の電極（図示していない）と接続可能なように、カードＫＤが挿入される前方ＦＤ側に延出するように、複数のコンタクト端子Ｃ３を基部１３ｋに埋設している。また、複数のコンタクト端子Ｃ３は、後述する基板１５との接続のため、絶縁基体１３の後方ＢＤ側にもその一端を延出している。複数のコンタクト端子Ｃ３を埋設して成形する方法は、絶縁基体１３に、ＡＢＳ（アクリロニトリルブタジエンスチレン）、ＰＥＴ（ポリエチレンテレフタレート）、ＰＢＴ（ポリブチレンテレフタレート）、ＬＣＰ（液晶ポリマー）等の合成樹脂素材を用い、インサート成形法を利用している。また、導電性金属板は、銅や鉄もしくはそれらを主成分とした合金等を用い、表面にニッケルや銀等の電気的接続性を上げるためのめっきが施してある。
【００３１】
また、絶縁基体１３の後方ＢＤ側に延出した複数のコンタクト端子Ｃ３の一端は、後述する基板１５のスルーホール１５ｓに挿入され、はんだ付けされて、基板１５に固定されるとともに、基板１５と電気的に接続されている。また、絶縁基体１３には、基部１３ｋの両端側から延出して２つ設けられた、断面形状がコの字状のガイド壁１３ｇを有している。ガイド壁１３ｇは、カードＫＤ（図示していない）が挿入される際に、カードＫＤの外壁をガイドする機能を有している。
【００３２】
基板１５は、図５（ｂ）及び図５（ｃ）に示すように、複数のコンタクト端子Ｃ３が挿入される複数のスルーホール１５ｓと、複数のコンタクト端子Ｃ３とはんだ付けされる複数のランド部１５ｒと、相手方コネクタ１９（図示していない）との接続のための配線パターン１５ｐと、アース用ランド１６とを備えた両面プリント配線板である。この配線パターン１５ｐを通った情報信号やアースされる電流等は、相手方コネクタ１９（図示していない）を介して、電子機器の回路基板等に接続され、伝達される。
【００３３】
また、図５（ｃ）に示すように、複数のランド部１５ｒとアース用ランド１６は、基板１５の背面側に設けられており、アース用ランド１６は、２列に配置されている複数のランド部１５ｒの外側にそれぞれ一つずつ形成されている。図５（ｃ）に示すアース用ランド１６のそれぞれは、複数のランド部１５ｒのそれぞれの最外側に位置するランド部１５ｒと、パターンの連結やスルーホールによって、電気的に接続されている。なお、基板１５にはプリント配線板を用いるのがより好ましいが、リード線やフレキシブル配線板を用いても良い。また、複数のコンタクト端子Ｃ３と基板１５のランド部１５ｒとの接続には、はんだを用いるのが好ましいが、導電性接着剤での接続やバネ部材を用いて圧接しても良い。
【００３４】
また、本考案の第１実施形態のカード用コネクタ１０１の組立工程の前に、基板１５と絶縁基体１３に埋設された複数のコンタクト端子Ｃ３とを、予めはんだ付けして準備しておくのが好ましい。
【００３５】
図６は、本考案の第１実施形態のカード用コネクタ１０１を説明する図であって、図６（ａ）は、ケース１１の一方の側方（図２に示すＬＤ側）に配置される接触板１７の斜視図であり、図６（ｂ）は、ケース１１の他方の側方（図２に示すＲＤ側）に配置される接触板１７の斜視図である。
【００３６】
接触板１７は、図６に示すように、導電性を有した金属板を折り曲げ加工をして形成された導電性金属部品であり、平板状に形成された連結基部１７ｊと、連結基部１７ｊの一端側に設けられた凸部１７ｂと、連結基部１７ｊの他端側からＬ字状に曲げられた曲片弾性部１７ｄと、曲片弾性部１７ｄの先端部に設けられた突出部１７ｔとからなる。導電性金属部品は、銅や鉄もしくはそれらを主成分とした合金等を用い、表面にニッケルや銀等の電気的接続性を上げるためのめっきが施してある。
【００３７】
また、接触板１７は、図３（ｄ）、図４(ａ)及び図６に示すように、収容部１ｓの側方に、それぞれ１個ずつ配置され、接触板１７の曲片弾性部１７ｄの一部が、基板１５よりも後方ＢＤ側に配置されている。また、曲片弾性部１７ｄの先端部に設けられた突出部１７ｔは、図５に示す基板１５のアース用ランド１６と電気的に接触するように配置されている。この曲片弾性部１７ｄの先端部に設けられた突出部１７ｔにより、アース用ランド１６に接触する接触板１７の接触圧を強くして、アース用ランド１６に接触板１７を確実に接触させることができる。また、接触板１７の凸部１７ｂは、カードＫＤが挿入された際に、カードＫＤの側面外壁と凸部１７ｂの接触部１７ｃとが、接触可能になるように、図３（ｂ）及び図４に示すように、凸側を収容部１ｓ内に向けて配置されている。
【００３８】
これによれば、本考案のカード用コネクタ１０１は、基板１５に設けられたアース用ランド１６と接触する接触板１７を、ケース１１の側方にそれぞれ１個ずつ配置しているので、カードＫＤが挿入された際に、カードＫＤの側面外壁と接触板１７の凸部１７ｂの接触部１７ｃとを接触させ、接触板１７と基板１５とを介して、カードＫＤをアースさせることができる。このことにより、簡易な構成であり、組立が容易にでき、しかも、確実にアースを取ることができる。
【００３９】
次に、上記構成のカード用コネクタ１０１の組立方法の一例について、説明する。
図７は、本考案の第１実施形態のカード用コネクタ１０１の組立方法を説明する図であって、図７（ａ）は、ケース１１の上面図であり、図７（ｂ）は、ケース１１に絶縁基体１３と基板１５とを載置したときの上面図であり、図７（ｃ）は、図７（ｂ）に接触板１７を載置したときの上面図であり、図７（ｄ）は、図７（ｃ）にカバー１２を載置したときの上面図であり、図７（ｅ）は、組立終了時のカード用コネクタ１０１の上面図である。図８は、本考案の第１実施形態のカード用コネクタ１０１を説明する図であって、図８（ａ）は、図７（ｃ）に示すＰ部分の拡大上面図であり、図８（ｂ）は、説明を容易にするため、図７（ｅ）に示すＱ部分の図であり、カバー１２を省略した拡大上面図である。図９は、本考案の第１実施形態のカード用コネクタ１０１を説明する図であって、図７（ｅ）に示すＩＸ−ＩＸ線における断面図である。図１０は、本考案の第１実施形態のカード用コネクタ１０１と相手方コネクタ１９が勘合した状態を説明する斜視図である。
【００４０】
先ず、図７（ａ）及び図７（ｂ）に示すように、上方ＵＰ側から、ケース１１の開口部１１ｋに基板１５を挿入しながら、ケース１１に基板１５及び複数のコンタクト端子Ｃ３が接続された絶縁基体１３を載置する。
【００４１】
次に、図７（ｃ）に示すように、上方ＵＰ側から、ケース１１の側壁と絶縁基体１３のガイド壁１３ｇとの間に接触板１７の連結基部１７ｊが挟まれるように、２個の接触板１７をカードＫＤが収容される収容部１ｓの側方に、それぞれ１個ずつ載置する。また、図８（ａ）に示すように、接触板１７の曲片弾性部１７ｄの一部が、基板１５よりも後方ＢＤ側に配置するとともに、曲片弾性部１７ｄの先端部に設けられた突出部１７ｔを基板１５のアース用ランド１６（図５（ｃ）に示している）と接触するようにも配置する。また、図７（ｃ）に示すように、カードＫＤの側面外壁（図２（ｂ）に示している）と凸部１７ｂの接触部１７ｃとが、接触可能になるように、凸側を収容部１ｓ内に向けて配置する。
【００４２】
最後に、図７（ｄ）に示すように、カバー１２を載置する。そして、前方ＦＤ側にカバー１２をスライドさせることにより、図７（ｅ）に示すように、ケース１１とカバー１２が係合され、本考案の第１実施形態のカード用コネクタ１０１が組み上げられる。そして、図９に示すように、カバー１２は、接触板１７及び基板１５を挟んだ状態でケース１１と係合しているので、接触板１７は、基板１５とカバー１２との間で挟持されて、基板１５のアース用ランド１６に、強く圧接されるようになる。また、図８（ａ）に示す接触板１７の曲片弾性部１７ｄと図８（ｂ）に示す接触板１７の曲片弾性部１７ｄとを比較すると、スライドしたカバー１２によって、曲片弾性部１７ｄが基板１５側に弾性変形し、突出部１７ｔがより強くアース用ランド１６を付勢するようになる。
【００４３】
以上のように、簡易な構成で、接触板１７を基板１５に確実に接触させることができる。このことにより、簡易な構成であり、組立が容易にでき、しかも、より確実にアースを取ることができる。
【００４４】
また、接触板１７がケース１１に上方ＵＰ側から取り付けられるとともに、接触板１７の曲片弾性部１７ｄの一部が、基板１５よりも後方ＢＤ側に配されており、カバー１２が接触板１７及び基板１５を挟んだ状態で、ケース１１と係合させるので、より簡易な構成であり、より組立が容易にできる。
【００４５】
このようにして組み立てられた本考案の第１実施形態のカード用コネクタ１０１は、図１０に示すように、カード用コネクタ１０１と相手方コネクタ１９とを勘合させて使用される。カード用コネクタ１０１に設けられたロック片１２ｐの係止爪１２ｒが、相手方コネクタ１９の受け部１９ｒを係止するので、相手方コネクタ１９と確実に接続することができる。そして、配線パターン１５ｐ（図示していない）を通った情報信号やアースされる電流等は、相手方コネクタ１９及び相手方コネクタ１９が実装されているプリント配線板５９を介して、電子機器に接続され、伝達される。したがって、カードＫＤと接触板１７とを接触させ、さらに接触板１７と基板１５と接触させ、基板１５及び相手方コネクタ１９を介して、電子機器内でアースさせることができる。なお、図１０に示した相手方コネクタ１９は、その一例を示したもので、図１０に示した相手方コネクタ１９に限らず、他の様々な相手方コネクタを用いることができる。
【００４６】
以上により、図２、図３、図４及び図７に示すように、本考案のカード用コネクタ１０１は、基板１５に設けられたアース用ランド１６と接触する接触板１７を、挿入されたカードＫＤと接触するように、収容部１ｓ内のケース１１の側方にそれぞれ１個ずつ配置しているので、カードＫＤが挿入された際に、カードＫＤと接触板１７とを接触させ、接触板１７と基板１５とを介して、アースさせることができる。このことにより、簡易な構成であり、組立が容易にでき、しかも、確実にアースを取ることができる。
【００４７】
また、図３、図４、図７、図８及び図９に示すように、接触板１７が、基板１５とカバー１２との間で挟持されて、基板１５のアース用ランド１６に圧接されているので、簡易な構成で、接触板１７を基板１５に確実に接触させることができる。このことにより、簡易な構成であり、組立が容易にでき、しかも、より確実にアースを取ることができる。
【００４８】
また、図３、図４、図７、図８及び図９に示すように、接触板１７がケース１１に上方ＵＰ側から取り付けられるとともに、接触板１７の曲片弾性部１７ｄの一部が、基板１５よりも後方ＢＤ側に配されており、カバー１２が接触板１７及び基板１５を挟んだ状態で、ケース１１と係合させるので、より簡易な構成であり、より組立が容易にできる。
【００４９】
また、図４、図５、図６、図７、図８及び図９に示すように、接触板１７が基板１５のアース用ランド１６と接触する側に、突出する突出部１７ｔを有しているので、アース用ランド１６に接触する接触板１７の接触圧を強くして、アース用ランド１６に接触板１７を接触させることができる。このことにより、確実に接触させることができ、より一層確実にアースを取ることができる。
【００５０】
また、図３及び図９に示すように、基板１５の後方ＢＤ側に配置され、相手方コネクタ１９と嵌合するロック片１２ｐがカバー１２に設けられているので、このロック片１２ｐにより、相手方コネクタ１９と確実に接続することができる。このことにより、基板１５と相手方コネクタ１９とを介して、より一層確実にアースを取ることができる。
【００５１】
なお、本考案は上記実施形態に限定されるものではなく、例えば次のように変形して実施することができ、これらの実施形態も本考案の技術的範囲に属する。
【００５２】
＜変形例１＞
上記実施形態では、基板１５に両面プリント配線板を用い、ケース１１の開口部１１ｋから下方ＤＷ側に接続部分を設けた構成にしたが、フレキシブル配線板を用いることで、カード用コネクタの後方ＢＤ側に開口部を設けて、後方ＢＤ側から配線を取り出す構成にしても良い。
【００５３】
＜変形例２＞
上記実施形態では、アースされる電流ラインが端にあるカードに対して、アース用ランド１６を一端に設けた構成にしたが、アースされる電流ラインが中央側にあるカードに対しても、アースラインを中央側から両端に配線し、アース用ランド１６を両端に設けることにより、上記実施形態のアース用ランド１６を端に設けたままの構成でも対応が可能である。
【００５４】
＜変形例３＞
上記実施形態では、相手方コネクタ１９と係止するコネクタ部１４は、基板１５を収納するための孔を有し、下方ＤＷ側に延出して形成した構成にしたが、コネクタ部１４は、相手方コネクタに合わせて設計されるものであって、コネクタ部１４の形状を特定するものでは無く、さらには、コネクタ部１４が無くても良い。
【００５５】
＜変形例４＞
上記実施形態では、ロック片１２ｐをハウジング１のカバー１２側に設けた構成にしてより好ましいが、ロック片１２ｐをハウジング１のケース１１側に設けた構成にしても良い。
【００５６】
その他、本考案は要旨を逸脱しない範囲で種々変更して実施することができる。
【符号の説明】
【００５７】
１  ハウジング
１ｓ  収容部
１１  ケース
１２  カバー
１２ｐ  ロック片
１３  絶縁基体
Ｃ３  コンタクト端子
１５  基板
１６  アース用ランド
１７  接触板
１７ｔ  突出部
１９  相手方コネクタ
１０１  カード用コネクタ
ＵＰ  上方
ＤＷ  下方
ＦＤ  前方
ＢＤ  後方
【図１】
0003167273.tif 000003
【図２】
0003167273.tif 000004
【図３】
0003167273.tif 000005
【図４】
0003167273.tif 000006
【図５】
0003167273.tif 000007
【図６】
0003167273.tif 000008
【図７】
0003167273.tif 000009
【図８】
0003167273.tif 000010
【図９】
0003167273.tif 000011
【図１０】
0003167273.tif 000012
【図１１】
0003167273.tif 000013